(57)【要約】【課題】防火対策の考慮が必要なく、結婚披露宴のキャンドルサービス等において有効な演出効果を奏することのできる点灯装置の照明方法等を提供することにある。【解決手段】棒状点灯具１００と、点灯装飾具２００とからなる点灯装置の点灯方法であって、発光体１１０を有する棒状体からなる棒状点灯具１００に設けられた操作手段１５０を、把持者がスイッチングすることにより、該棒状点灯具１００の送信手段１６０から点灯信号を送信し、発光体２２０が取付けられた装飾体２１０を備えた点灯装飾具２００が、前記点灯信号を受信すると、装飾体２１０の発光体２００を発光させる。【選択図】  図６
2004355930.tif 000002
【特許請求の範囲】
【請求項１】
発光体を有する棒状体からなり、
該棒状体には、把持者がスイッチングできる操作手段と、該操作手段の操作に応じて他の装置に装着された受信手段に対して信号を送信する送信手段とが設けられていることを特徴とする棒状点灯具。
【請求項２】
装飾体に取付けられた発光体と、該発光体の発光の制御を行うスイッチ手段とを備え、
前記スイッチ手段は、他の装置に装着された送信手段からの信号を受信した際に発光体の発光を行うように設けられていることを特徴とする点灯装飾具。
【請求項３】
請求項２記載の点灯装飾具であって、
操作者がスイッチングできる操作手段を備えてなり、
前記発光体は、操作者による操作手段の操作に応じて発光体の発光の制御を行うように設けられていることを特徴とする点灯装飾具。
【請求項４】
棒状点灯具と、点灯装飾具とからなる点灯装置であって、
前記棒状点灯具は、発光体を有する棒状体からなり、該棒状体には、把持者がスイッチングできる操作手段が設けられており、
前記点灯装飾具は、装飾体に取付けられた発光体と、該発光体の発光の制御を行うスイッチ手段とを備えてなり、
前記棒状点灯具には、操作手段の操作に応じて信号を送信する送信手段が設けられ、
前記点灯装飾具のスイッチ手段は、前記棒状点灯具の送信手段からの信号を受信した際に、前記装飾体に取付けられた発光体の発光を行うように設けられていることを特徴とする点灯装置。
【請求項５】
棒状点灯具と、点灯装飾具とからなる点灯装置の点灯方法であって、
発光体を有する棒状体からなる棒状点灯具に設けられた操作手段を、把持者がスイッチングすることにより、該棒状点灯具の送信手段から点灯信号を送信し、
発光体が取付けられた装飾体を備えた点灯装飾具は、前記点灯信号を受信すると、前記装飾体に取付けられた発光体を発光させることを特徴とする点灯装置。
【発明の詳細な説明】
【０００１】
【発明の属する技術分野】
本発明は、棒状点灯具、点灯装飾具、点灯装置、及び、点灯装置の照明方法に関し、より詳述すると、たとえば、結婚披露宴におけるキャンドルサービスにおいて好適に用いられるものである。
【０００２】
【従来の技術】
従来よりキャンドルサービスは、新郎新婦がロウソクによって把持して、列席者の各テーブルを巡回し、各テーブルに裁置されたロウソクに把持したロウソクによって点火していき、最後にメインのロウソクに点火することにより、結婚披露宴の演出効果を高めるものであった。
【０００３】
しかしながら、キャンドルサービスは、上述のように火を使用するものであり、特に列席者が多い場合にあっては、火が会場内において使用される時間が長時間にわたり、その防火対策に慎重になることを要していた。
【０００４】
また、このように一度使用されたロウソクは再利用することができないという問題をも有していた。
【０００５】
【発明が解決しようとする課題】
そこで、本発明の課題は、上記事情に鑑みて創案されたもので、防火対策の考慮が必要なく、パーティにおいて有効な演出効果を奏することのできる棒状点灯具、点灯装飾具、点灯装置、及び、点灯装置の照明方法を提供することにある。
【０００６】
【課題を解決するための手段】
本発明に係る棒状点灯具としての特徴は、発光体を有する棒状体からなり、該棒状体には、把持者がスイッチングできる操作手段と、該操作手段の操作に応じて他の装置に装着された受信手段に対して信号を送信する送信手段とが設けられている点にある。
【０００７】
上記構成からなる棒状点灯具によれば、棒状体の発光体を発光させておくことにより演出効果が図れるとともに、把持者が操作手段をスイッチングすることにより、送信手段から信号が送信でき、このため、この信号を受信した点灯具が点灯するように構成することが可能となる。つまり、たとえば、発光体の発光する棒状点灯具を新郎新婦が把持して、各テーブルに設置された点灯具を新郎新婦が操作手段の操作により点灯せしめることができ、火を使うことなく従来のキャンドルサービスと同様の演出効果を奏することが可能となる。
【０００８】
なお、上記棒状点灯具は、棒状体の一端から他端に向けて前記発光体が連続的に設けられた発光部と、棒状体の他端側に設けられ把持者が把持する把持部とに区画されていることが好ましい。また、上記構成を採用した場合には、前記把持部に前記操作手段を設けることが好ましく、これにより把持者は容易にスイッチング操作を行うことができる。さらに、前記発光部と把持部との間には、造花等の装飾体を設けることが好ましく、これにより把持部が視認され難いとともに、把持者のスイッチング操作が視認され難く、このため、演出効果をより高めることが可能となる。また、前記送信手段は、棒状体の発光部の先端側に設けられてることが好ましく、これにより受信手段に近接せしめて確実に信号を送信させることができる。
【０００９】
また、本発明に係る点灯装飾具としての特徴は、装飾体に取付けられた発光体と、該発光体の発光の制御を行うスイッチ手段とを備え、スイッチ手段が、他の装置に装着された送信手段からの信号を受信した際に発光体の発光を行うように設けられている点にある。
【００１０】
上記構成からなる点灯装飾具によれば、他の装置に装着された送信手段からの信号を受信することにより、スイッチ手段が発光体を点灯させることが可能となる。つまり、たとえば、かかる点灯装飾具を結婚披露宴の列席者のテーブルに裁置しておき、たとえば新郎新婦が把持する送信手段を有する装置によって、この各テーブルに設置された点灯装飾具を点灯しめることができ、火を使うことなく従来のキャンドルサービスと同様の演出効果を奏することが可能となる。
【００１１】
なお、上記点灯装飾具は、装飾体が造花からなることが好ましく、より好ましくは該造花には蛍光塗料が塗布されることが好ましく、これにより点灯時の美観に優れる利点を有する。また、装飾体を造花から構成した場合には、該造花を複数設けることが好ましい。また、上記点灯装飾具は、送信手段からの信号を受信した後に発光体を徐々に明るくする点灯回路を有することが好ましく、これにより、演出効果をより高めることが可能となる。
【００１２】
また、上記点灯装飾具にあっては、操作者がスイッチングできる操作手段を備えてなり、前記発光体は、操作者による操作手段の操作に応じて発光体の発光の制御を行うように設けられていることが好ましい。
【００１３】
これにより、発光の方法として、前述のように信号を受信するのみならず、操作手段の操作によっても発光体を発光させることが可能となる。このため、万一受信手段また送信手段の故障により発光体が発光しない場合であっても、操作手段の操作により点灯させることができる。
【００１４】
また、本発明に係る点灯装置としての特徴は、棒状点灯具と、点灯装飾具とからなり、前記棒状点灯具が、発光体を有する棒状体からなり、該棒状体には、把持者がスイッチングできる操作手段が設けられており、前記点灯装飾具は、装飾体に取付けられた発光体と、該発光体の発光の制御を行うスイッチ手段とを備えてなり、前記棒状点灯具には、操作手段の操作に応じて信号を送信する送信手段が設けられ、前記点灯装飾具のスイッチ手段は、前記棒状点灯具の送信手段からの信号を受信した際に、前記装飾体に取付けられた発光体の発光を行うように設けられている点にある。
【００１５】
上記構成からなる点灯装置にあっては、棒状点灯具の棒状体の発光体を発光させておくことにより演出効果が図れるとともに、棒状点灯具の把持者が操作手段をスイッチングすることにより、送信手段から信号が送信でき、この信号を点灯装飾具が受信することにより、点灯装飾具の装飾体に取付けられた発光体を点灯させることが可能となる。つまり、たとえば、点灯装飾具を結婚披露宴の列席者のテーブルに裁置しておき、発光体の発光する棒状点灯具を新郎新婦が把持して、各テーブルに設置された点灯具を新郎新婦が操作手段の操作により点灯せしめることができ、火を使うことなく従来のキャンドルサービスと同様の演出効果を奏することが可能となる。
【００１６】
また、本発明に係る点灯方法としての特徴は、棒状点灯具と、点灯装飾具とからなる点灯装置の点灯方法であって、発光体を有する棒状体からなる棒状点灯具に設けられた操作手段を、把持者がスイッチングすることにより、該棒状点灯具の送信手段から点灯信号を送信し、発光体が取付けられた装飾体を備えた点灯装飾具は、前記点灯信号を受信すると、前記装飾体に取付けられた発光体を発光させることにある。
【００１７】
上記構成からなる点灯方法にあっては、棒状点灯具の把持者が操作手段をスイッチングすることにより、送信手段から信号が送信でき、この信号を点灯装飾具が受信することにより、点灯装飾具の装飾体に取付けられた発光体を点灯させることが可能となる。つまり、たとえば、点灯装飾具を結婚披露宴の列席者のテーブルに裁置しておき、発光体の発光する棒状点灯具を新郎新婦が把持して、各テーブルに設置された点灯具を新郎新婦が操作手段の操作により点灯せしめることができ、火を使うことなく従来のキャンドルサービスと同様の演出効果を奏することが可能となる。
【００１８】
なお、上述の本発明に係る点灯装置およびその点灯方法にあって、棒状点灯具および点灯装飾体は、既述の構成を採用することが好ましい。
【００１９】
【発明の実施の形態】
以下、本発明の実施の形態を図面に基づいて説明する。ただし、以下に示す実施の形態は、本発明の技術思想を具体化するための棒状点灯具、点灯装飾具、点灯装置、及び、点灯装置の照明方法を例示するものであって、本発明は棒状点灯具、点灯装飾具、点灯装置、及び、点灯装置の照明方法を以下のものに特定しない。
【００２０】
また本明細書は、特許請求の範囲に示される部材を、実施の形態の部材に特定するものでは決してない。特に実施の形態に記載されている構成部品の寸法、材質、形状、その相対的配置等は特に特定的な記載がない限りは、本発明の範囲をそれのみに限定する趣旨ではなく、単なる説明例にすぎない。なお、各図面が示す部材の大きさや位置関係等は、説明を明確にするため誇張していることがある。さらに以下の説明において、同一の名称、符号については同一もしくは同質の部材を示しており、詳細説明を適宜省略する。さらに、本発明を構成する各要素は、複数の要素を同一の部材で構成して一の部材で複数の要素を兼用する態様としてもよいし、逆に一の部材の機能を複数の部材で分担して実現することもできる。
【００２１】
図１は本発明の実施形態に係る棒状点灯具の概略的側面図であり、図２は、同実施形態の棒状点灯具の概略的正面端面図である。図３および図４は、同実施形態の点灯装飾具の一部断面を含む概略側面図であり、図３は小型の点灯装飾具の図面で、図４は大型の点灯装飾具の図面である。図５は、同実施形態の発光ダイオードの取付けられた装飾体の概略的断面図である。図６は、同実施形態の使用状態を説明するための参考図である。
【００２２】
まず、本実施形態の棒状点灯具の構成について説明すると、棒状点灯具は、一端側（先端側）に設けられ発光体１４０によって発光する発光部１１０と、他端側（後端側）に設けられ把持者が把持する把持部１２０とに区画された棒状体１００から構成されている。この発光部１１０と把持部１２０との間には、装飾体１３０としての造花が外装されている。ここで、この造花１３０は、蛍光塗料が表面に塗布された布より構成されていることが好ましい。さらに、この造花１３０とともにリボン等の装飾体が取付けられていることが好ましい。
【００２３】
また、前記発光部１１０は、透明または半透明な筒体１１１の内部に先端側から連続的に発光ダイオード１４０（発光体）が内蔵された構成からなる。ここで、発光ダイオード１４０は筒体１１１に複数（たとえば９個）内蔵されており、発光ダイオード１４０と筒体１１１との間には、ホログラフィックフィルム１１２が介在されている（図２参照）。
【００２４】
該発光ダイオード１４０は、本体発光用操作手段（図示省略）の操作によって発光するように設けられている。この本体発光用操作手段は、把持部１２０に設けられており、具体的には、棒状体１００の後端に設けられている。なお、ここで、発光ダイオード１４０としては、たとえば、白色を発光するものを好適に採用することができる。
【００２５】
また、上記棒状点灯具１００は、前記発光部１１０を発光するための電源（図示省略）を有しており、前記把持部１２０は、合成樹脂等の筒体から構成されており、該電源は、該把持部１２０に内蔵されている。
【００２６】
また、棒状点灯具１００は、把持部１２０を把持した把持者がスイッチングできる操作手段１５０と、該操作手段１５０の操作に応じて後述する点灯装飾具２００に対して点灯信号を送信する送信手段１６０とが設けられている。
【００２７】
ここで、点灯信号を送信する指示を与えるための送信回路（図示省略）は、前記把持部１２０に内蔵され、前記電源から電源に基いて送信手段１６０の制御を行っている。また、この送信回路に基いて送信信号を送信する送信手段１６０は、棒状体１００の発光部１１０の先端部に設けられており、具体的には一定の波長の光（点灯信号）を発する発光ダイオード（赤外線ＬＥＤ）から構成されている。
【００２８】
前記操作手段１５０は、把持部１２０の表面（上面）に設けられており、前記発光部１１０に近接する箇所に設けられており、より具体的には、把持部１２０の表面に形成された溝部（図示省略）にスライド可能に設けられた摘み部１５０から構成され、該摘み部１５０を把持者が先端側にスライドさせることにより、前記点灯信号が送信されるように設けられている。
【００２９】
次に、本実施形態の点灯装飾具２００の構成について説明すると、本実施形態の点灯装飾具２００は、大型のものと、小型のものとの二種類が用意されており、両者ともに、装飾体２１０に取付けられた発光ダイオード２２０と、該発光ダイオード２２０の発光の制御を行うスイッチ手段（図示省略）とを備え、前記スイッチ手段は、前記棒状点灯具１００の送信手段１６０からの点灯信号を受信することにより発光ダイオード２２０の発光を行うように設けられている。
【００３０】
前記点灯装飾具２００は、複数の装飾体２１０を有しており、この装飾体２１０は、表面に蛍光塗料の塗布されたチュール２１１から形成された造花から構成されており、該造花２１０に発光ダイオード２２０（発光体）が取付けられている。より詳述すると、図５に示すように、発光ダイオード２２０を絹、ナイロン、綿花等のチュール２１２によって覆い、これの外側に白色蛍光塗料が塗布された白布等のチュール２１１から花びらを形成して、この花びらが組み合わされて花部分が形成されている。また、同様に葉部分も布によって形成されており、この葉部分にも前述のような発光ダイオードを取り付けることも可能である。なお、ここで、発光ダイオード２２０としては、白、赤、青などの各種の色を発光するものを採用することができ、これらの複数の色を適宜組み合わせることも可能である。複数の発光色の発光ダイオードを同時に点灯させて混色させたり、あるいは発光ダイオードと発光ダイオードの光で励起される蛍光体との組み合わせによって混色により所望の色に発光させることができる。また、発光ダイオード２２０は、複数の装飾体２１０の間にも介在させることも可能である。
【００３１】
また、本実施形態の点灯装飾具２００は、前記装飾体２１０たる複数の造花が透明な容器２３０に内在されて構成されている。
【００３２】
また、前記容器２３０には、底部に、前記スイッチ手段たる点灯回路（図示省略）が設けられており、換言すれば、該点灯回路は、装飾体２１０の下方に設けられ、視認され難いように設けられており、具体的には、該点灯回路は、容器２３０の底部に配されたケース体２４０の中に収納されている。
【００３３】
また、この点灯回路は、前記棒状点灯具１００の送信手段１６０からの点灯信号を受信するように設けられているとともに、点灯信号を受信した際に発光ダイオード２２０を徐々に明るくするような制御を行うように設けられている。
【００３４】
なお、この点灯回路は、大型の点灯装飾具２００にあっては、下方の発光ダイオード２２０から順次点灯するように設けられている。具体的には、下方の発光ダイオード２２０、中央の発光ダイオード２２０および上方の発光ダイオード２２０をそれぞれ別の系統として点灯回路に接続させておき、点灯回路が下方の発光ダイオード２２０の系統から順次点灯の開始を行うように制御するように設けられている。
【００３５】
また、前述のような小型の点灯装飾具２００においては、前記発光ダイオード２２０を発光させるための電源（図示省略）を内蔵しており、該電源は、前記点灯回路のケース体２４０の中に収容されている。
【００３６】
また、前記発光ダイオード２２０の発光を強制的に行い得る操作手段２５０を備えている。操作手段２５０は発光ダイオード２２０を発光させるスイッチ等を備えており、好ましくは装飾体と同様に造花等で外周を覆い、スイッチを目立たなくする。この操作手段２５０は、前記容器２３０の上面開口部、あるいは下部側面に形成された穿孔２３１を介して、点灯回路に接続されるコード２５１により容器２３０の外部に表出できるように設けられており、容器２３０の近傍または容器２３０の外表面に位置するように設けられている。
【００３７】
また、前述のような大型の点灯装飾具２００においても、前記容器２３０の下部側面に穿孔２３１が形成されており、該穿孔２３１を介して、前記点灯回路を外部電源に接続するための電源コード２６０が外部に表出されている。
【００３８】
また、この大型の点灯装飾具２００も、小型のものと同様に、発光ダイオード２２０の発光を強制的に行い得る操作手段２５０を備えている。この操作手段２５０は、点灯回路に接続されるコード２５１により外部に表出できるように設けられているが、通常時には容器２３０の底部に収容されている。なお、該操作手段２５０を前記穿孔２３１から外部に表出するようにすることも可能である。
【００３９】
次に、上記構成からなる棒状点灯具１００および点灯装飾具２００の使用方法について説明する。
【００４０】
まず、複数の点灯装飾具２００を会場の所望箇所に設置する。具体的には、小型の点灯装飾具２００を列席者の各テーブル３００に設置しておき、大型の点灯装飾具２００をメインテーブルの近くに設置しておく。また、大型の点灯装飾具２００にあっては、電気コード２６０を外部電源に接続しておく。また、小型の点灯装飾具２００にあっては、その容器２３０の下部周囲に生花などの装飾体３１０を配して、発光ダイオード２２０の発光を強制的に行う操作手段２５０が視認されないようにしておく。
【００４１】
そして、披露宴開催後、たとえば新郎新婦（把持者）が、発光ダイオードを発光した状態の棒状点灯具１００の把持部１２０を把持する。
【００４２】
そして、把持者が各テーブル３００を巡回する際に、各テーブル３００において、点灯装飾具２００に棒状点灯具１００の先端を近接せしめて、把持部１２０の操作手段１５０を操作すると、棒状点灯具１００から点灯信号が送信され、それを受信した点灯装飾具２００において発光ダイオード２２０が点灯することになる。この発光ダイオード２２０の光は、それを覆う造花２１０を照らし出し、また、造花２１０は蛍光塗料が塗布されたチュール２１１から構成されているので、表面で乱反射を起こして、全体として幻想的な視覚効果が得られる。特に、白色の蛍光塗料を塗布した白布から装飾体２１０が構成されているため、発光ダイオード２２０の色に応じて所望の色に装飾体２１０が光ることになる。
【００４３】
また、棒状点灯具１００の先端に前記送信手段１６０が設けられているため、送信手段１６０を点灯装飾具２００に近接せしめて、確実に点灯信号を点灯装飾具２００に受信させることができる。
【００４４】
さらに、この点灯に際して、点灯装飾具２００の発光ダイオード２２０が徐々に明るくなるように設けられているので、より視覚的な効果を高めることができる。
【００４５】
また、棒状点灯具１００の操作手段１５０は、把持部１２０に設けられているため、把持者が容易に操作でき、しかも、発光部１１０に近接して設けられているため、より操作が容易である。また、操作手段１５０が発光部１１０に近接して設けられているとともに、発光部１１０と把持部１２０との間には装飾体１３０が設けられているので、把持者の操作が列席者から視認されにくく、演出効果をより高めることができる。
【００４６】
また、各テーブル３００の点灯装飾具２００には電源が内蔵されているので、電気コード等が外部に露呈せず、また、点灯回路なども容器２３０の下部に位置しているので外部から視認されず、美観的効果に優れている。また、操作手段２５０は、容器２１０の下部側から外部に表出されるため、上述のような装飾体３１０によって外部から視認されないように設けることができ、美観的効果に優れている。
【００４７】
上述のように各テーブル３００の点灯装飾具２００を点灯し終えた後に、把持者は、メインテーブルに近接して設置された大型の点灯装飾具２００の近傍に移動し、上記と同様、操作手段１５０の操作により点灯装飾具２００の発光ダイオード２２０を点灯させる。この際、上述のように発光ダイオード２２０が徐々に明るくなるように設けられているとともに、下方の発光ダイオード２２０から順次点灯を開始するように設けられているので、より視覚的な効果を高めることができる。
【００４８】
なお、この大型の点灯装飾具２００は、電源コード２６０が外部に露呈しているものの、メインテーブルに近接して設置されるため電気コード２６０を列席者から視認されにくい位置に配置することができ、一方、外部電源からの供給を受けて複数の発光ダイオード２２０を点灯させることができるため、多量の発光ダイオード２２０を発光させたり、発光ダイオード２２０の輝度を高めることができる。
【００４９】
また、棒状点灯具１００の操作手段１５０を操作しても、点灯装飾具２００が点灯しない故障が万一生じたとしても、点灯装飾具２００の操作手段２５０の操作によっても点灯装飾具２００の発光ダイオード２２０を発光させることができる。
【００５０】
さらに、上記実施形態においては、各発光体１１０，２２０として発光ダイオードを採用しているため、球切れがなく、発熱量も少なく、安全であり、低消費電力であるという利点を有している。
【００５１】
なお、上記実施形態は上記構成からなり上述の利点を有するものであったが、本発明は上記実施形態の構成に限定されるものではなく、本発明の意図する範囲内において適宜設計変更可能である。
【００５２】
【発明の効果】
以上のように、本発明によると、棒状点灯具や点灯装飾具の発光体によって従来のキャンドルサービスのような演出効果を得られるとともに、従来のようにロウソクを使用する必要がないため、防火対策の考慮が必要なく、さらに、何度も使用することができるという利点を有する。
【図面の簡単な説明】
【図１】本発明の一実施形態に係る棒状点灯具の概略的側面図である。
【図２】同実施形態の棒状点灯具の概略的正面端面図である。
【図３】同実施形態の小型の点灯装飾具の一部断面を含む概略側面図である。
【図４】同実施形態の大型の点灯装飾具の一部断面を含む概略側面図である。
【図５】同実施形態の点灯装飾具の装飾体の概略的断面図である。
【図６】同実施形態の点灯装置の使用状態を説明するための参考図である。
【符号の説明】
１００  棒状体（棒状点灯具）
１１０  発光部
１１１  筒体
１１２  ホログラフィックフィルム
１２０  把持部
１３０  装飾体
１４０  発光体（白色発光ダイオード）
１５０  操作手段
１６０  送信手段（発光ダイオード）
２００  点灯装飾具
２１０  装飾体
２１１  チュール
２１２  綿花
２２０  発光ダイオード
２３０  容器
２３１  穿孔
２４０  ケース体
２５０  操作手段
２５１  コード
２６０  電源コード
３００  テーブル
３１０  装飾体
【図１】
2004355930.tif 000003
【図２】
2004355930.tif 000004
【図３】
2004355930.tif 000005
【図４】
2004355930.tif 000006
【図５】
2004355930.tif 000007
【図６】
2004355930.tif 000008